(57)【要約】      （修正有）【課題】グループ間の優劣に寄与する因子を直感的に認識可能な生産プロセスの解析方法を提供する。【解決手段】生産プロセスのプロダクトデータ及びプロセスデータをロット毎に収集するステップＳ１と、プロダクトデータに応じて各ロットを複数のグループに区分するステップＳ４と、グループに含まれる複数のロットのプロダクトデータに応じてグループの優劣を判定するステップＳ５と、グループ毎のプロセスデータの平均値を表示部にバーグラフで可視表示するＳ６と、バーグラフ上において優と判定されたグループが他のグループと比べて特徴的な傾向を示す状態量を特徴因子として特定するステップＳ７と、を含む生産プロセスの解析方法。【選択図】図１
2019091372.tif 000002
【特許請求の範囲】
【請求項１】
製品又はサービスを生産する生産プロセスの解析方法であって、
前記生産プロセスの状態を示す状態量及び前記製品又はサービスの品質を示す品質項目を少なくとも含むデータを前記生産プロセスのロット毎に収集する工程と、
前記状態量に応じて前記ロットを複数のグループに区分する工程と、
前記グループに含まれるロットの品質項目毎にグループ間の優劣を判定する工程と、
前記グループ毎の前記状態量の平均値を表示部にグラフで可視表示する工程と、
前記グラフ上において、前記優と判定されたグループが他のグループと比べて特徴的な傾向を示す状態量を優と判定されたグループの特徴を表す特徴因子と特定する工程と、
を含むことを特徴とする生産プロセスの解析方法。
【請求項２】
前記可視表示する工程において、前記グループ毎の状態量の平均値を横軸に設定したバーグラフ上に前記グループ毎の状態量を表示することを特徴とする請求項１記載の生産プロセスの解析方法。
【請求項３】
前記特徴因子を特定する工程において、前記バーグラフ上で前記優と判定されたグループが他のグループと比べて横軸からの乖離幅が大きい状態量を前記特徴因子と特定することを特徴とする請求項２記載の生産プロセスの解析方法。
【請求項４】
前記特徴因子を特定する工程において、前記バーグラフ上で前記優と判定されたグループが他のグループの少なくとも一つと比べて正負が反転している状態量を前記特徴因子と特定することを特徴とする請求項２記載の生産プロセスの解析方法。
【請求項５】
前記可視表示される状態量の平均値は、標準化された状態量の平均値であることを特徴とする請求項１から４の何れか１項記載の生産プロセスの解析方法。
【請求項６】
前記グループの優劣は、前記グループ内の品質項目の平均値に応じて判定されることを特徴とする請求項１記載の生産プロセスの解析方法。
【請求項７】
前記グループの優劣は、前記グループ内の品質項目のうち最も優先順位が高い品質項目の平均値に応じて判定されることを特徴とする請求項１記載の生産プロセスの解析方法。
【発明の詳細な説明】
【技術分野】
【０００１】
本発明は、製品やサービスを生産する生産プロセスの解析方法に関する。
【背景技術】
【０００２】
製品を製造する生産プロセスでは、自動化された製造設備による工程や作業者による手作業の工程を含む。また、パーツ洗浄や医薬品開発における治験結果の解析等のサービスを提供する生産プロセスでは、洗浄装置や解析装置による工程や作業者による手作業の工程を含む。
【０００３】
このような製品製造やサービス提供を行う生産プロセスでは、設備の運転状況、作業員の作業状況、原料や製品のハンドリングの仕方等によってロット間で製品やサービスの品質にバラつきが生じる。
【０００４】
製品の品質のばらつきを抑制するために、製品の製造プロセスに関するプロダクトデータ及びプロセスデータに主成分分析及びクラスター分析を適用して製造プロセスのロットを複数のグループに区分し、グループ間の優劣に寄与するデータである阻害要因を特定するものが知られている（例えば、特許文献１参照）。
【０００５】
このような製造プロセスの解析方法では、グループ間の優劣に寄与する阻害要因を特定することにより、製造プロセスが効率的良く改善されるため、ロット間の品質のバラつきを低減することができる。
【先行技術文献】
【特許文献】
【０００６】
【特許文献１】特許第５９５６０９４号公報
【発明の概要】
【発明が解決しようとする課題】
【０００７】
しかしながら、上述したような解析方法では、グループ間の優劣に寄与する因子を直感的に認識しにくいという問題があった。
【０００８】
そこで、グループ間の優劣に寄与する因子を直感的に認識するために解決すべき技術的課題が生じてくるのであり、本発明は、この課題を解決することを目的とする。
【課題を解決するための手段】
【０００９】
上記目的を達成するために、本発明に係る生産プロセスの解析方法は、製品又はサービスを生産する生産プロセスの解析方法であって、前記生産プロセスの状態を示す状態量及び前記製品又はサービスの品質を示す品質項目を少なくとも含むデータを前記生産プロセスのロット毎に収集する工程と、前記状態量に応じて前記ロットを複数のグループに区分する工程と、前記グループに含まれるロットの品質項目毎にグループ間の優劣を判定する工程と、前記グループ毎の前記状態量の平均値を表示部にグラフで可視表示する工程と、前記グラフ上において、前記優と判定されたグループが他のグループと比べて特徴的な傾向を示す状態量を優と判定されたグループの特徴を表す特徴因子と特定する工程と、を含む。
【００１０】
この構成によれば、グループ毎の状態量の平均値がグラフに可視表示された状態で、優と判定されたグループが他のグループと比べて特徴的な傾向を示す状態量を優と判定されたグループの特徴を表す特徴因子と特定することにより、特徴因子を直感的に認識することができる。
【００１１】
また、本発明に係る生産プロセスの解析方法は、前記可視表示する工程において、前記グループ毎の状態量の平均値を横軸に設定したバーグラフ上に前記グループ毎の状態量を表示することが好ましい。
【００１２】
この構成によれば、優と判定されたグループは、他のグループの大小関係が容易に比較できるため、特徴因子を直感的に認識することができる。
【００１３】
また、本発明に係る生産プロセスの解析方法は、前記特徴因子を特定する工程において、前記バーグラフ上で前記優と判定されたグループが他のグループと比べて横軸からの乖離幅が大きい状態量を前記特徴因子と特定することが好ましい。
【００１４】
この構成によれば、優と判定されたグループは、他のグループと比較して横軸からの乖離幅が大きいため、特徴因子を直感的に認識することができる。
【００１５】
また、本発明に係る生産プロセスの解析方法は、前記特徴因子を特定する工程において、前記バーグラフ上で前記優と判定されたグループが他のグループの少なくとも一つと比べて正負が反転している状態量を前記特徴因子と特定することが好ましい。
【００１６】
この構成によれば、優と判定されたグループは、他のグループと比較して横軸を境に正負が逆転するため、特徴因子を直感的に認識することができる。
【００１７】
また、本発明に係る生産プロセスの解析方法は、前記可視表示される状態量の平均値は、標準化された状態量の平均値であることが好ましい。
【００１８】
この構成によれば、複数の状態量はスケールが統一された状態で可視表示されるため、状態量同士の比較が容易になり、特徴因子を直感的に認識することができる。
【００１９】
また、本発明に係る生産プロセスの解析方法は、前記グループの優劣は、前記グループ内の品質項目の平均値に応じて判定されることが好ましい。
【００２０】
この構成によれば、グループ内におけるロット間での品質項目のばらつきを考慮して、グループ間の品質項目の優劣の傾向を大局的に把握することができる。
【００２１】
また、本発明に係る生産プロセスの解析方法は、前記グループの優劣は、前記グループ内の品質項目のうち最も優先順位が高い品質項目の平均値に応じて判定されることが好ましい。
【００２２】
この構成によれば、グループ内におけるロット間での品質項目のばらつきを考慮して、グループ間の品質項目の優劣の傾向を大局的に把握することができる。
【発明の効果】
【００２３】
本発明は、グループ毎の状態量の平均値がグラフに可視表示された状態で、優と判定されたグループが他のグループと比べて特徴的な傾向を示す状態量を優と判定されたグループの特徴を表す特徴因子と特定することにより、特徴因子を直感的に認識することができる。
【図面の簡単な説明】
【００２４】
【図１】本発明の一実施形態に係る生産プロセスの解析方法を示すフローチャート。
【図２】ロット毎の主成分得点及びグループを示すグラフ。
【図３】３つのプロセスデータの標準化前後のグループ毎の平均値を示す表。
【図４】図３中のプロセスデータｐａｒａ１について、横軸に平均値を設定したグループ毎の状態量を示すバーグラフ。
【図５】図３中のプロセスデータｐａｒａ２について、横軸に平均値を設定したグループ毎の状態量を示すバーグラフ。
【図６】図３中のプロセスデータｐａｒａ３について、横軸に平均値を設定したグループ毎の状態量を示すバーグラフ。
【図７】図３中のプロセスデータｐａｒａ２について、各ロットのプロセスデータのバラつきを示すグラフ。
【発明を実施するための形態】
【００２５】
本発明の実施形態について図面に基づいて説明する。なお、以下では、構成要素の数、数値、量、範囲等に言及する場合、特に明示した場合及び原理的に明らかに特定の数に限定される場合を除き、その特定の数に限定されるものではなく、特定の数以上でも以下でも構わない。また、本実施形態を構成する各ステップは、特に明示した場合及び原理的に明らかな場合を除き、先後順序は以下の順序に限定されるものではなく、また、複数のステップが並列に実行されても構わない。
【００２６】
本実施形態に係る解析方法は、製品（物）を製造するプロセス又はサービスを提供するプロセス（以下、総称して「生産プロセス」と称す）に適用される。生産プロセスには、機械設備のみで構成されて全ての工程が自動化されたプロセス、作業者の手作業による作業工程を含むプロセス、並びに機械設備によって自動化された製造工程及び作業者の手作業による作業工程を含むプロセスが含まれる。
【００２７】
以下では、生産プロセスの一例である繊維の製造ラインに本解析方法を適用した場合を例に説明する。なお、本発明を適用する生産プロセスは、繊維の製造ラインに限定して解釈されるものではなく、その他の製造ライン及びサービスを提供するプロセスも含まれることは言うまでもない。
【００２８】
なお、製造ラインを構成する各機器には、種々の値を測定する図示しないセンサが設けられている。センサの測定対象は、原料の投入量、加熱等の各種処理を行う処理装置内の温度、単位時間当たりの処理量等である。センサは、製造ラインを構成する製造設備を整除する制御装置に測定値を送る。
【００２９】
制御装置は、センサが測定した製品の生産条件を示すプロセスデータ、製品の品質項目を示すプロダクトデータ（品質データ）に基づいて、後述する処理を行う。プロセスデータは、製品の品質に影響し得る因子であり、生産プロセスの状態を示す状態量であって、例えば、生産プロセスの生産条件（製造設備の運転条件等）、原料の条件（原料の物性、組成等）等を含む。また、制御装置には、液晶ディスプレイ等の表示部が接続されている。
【００３０】
図２は、本実施形態に係る生産プロセスの解析方法の手順を示すフローチャートである。
【００３１】
まず、動作済みの生産プロセスについて、制御装置は、センサが測定したプロセスデータとプロダクトデータとを収集する（ステップＳ１）。このステップＳ１では、ロット毎のプロセスデータ及びプロダクトデータを制御装置に記憶する。
【００３２】
次に、ステップＳ１で収集したプロセスデータ及びプロダクトデータを標準化して中間関数に変換する（ステップＳ２）。
【００３３】
ステップＳ２で行うプロセスデータの標準化処理は、公知のものであり、具体的には、数式１に基づいて制御装置が演算する。
【数１】
2019091372.tif 000003
【００３４】
次に、ステップＳ２で求めた中間変数に基づいて主成分負荷量及び主成分得点を求める（ステップＳ３）。ステップ３では、まず、中間変数における相関係数行列を作成し、相関係数行列の固有値と固有ベクトルを導出する。相関係数行列は、中間変数がｘ１、ｘ２、ｘ３・・のときに、第１主成分ＰＣ１は、数式２で示すように表される。また、第Ｎ主成分ＰＣｎは、数式３で示すように表される。そして、係数ａ１１、ａ１２、ａ１３・・を１行目の要素、係数ａｎ１、ａｎ２、ａｎ３・・をｎ行目の要素に用いることにより、相関係数行列が形成される。
【数２】
2019091372.tif 000004
【数３】
2019091372.tif 000005
【００３５】
次に、相関係数行列の固有ベクトルから主成分得点を求める。また、相関係数行列の固有値から各主成分の寄与率を求める。主成分の寄与率は、固有値を固有値の総和で割ることで得られる。ここで、固有値の大きい方から、第１主成分、第２主成分・・第Ｎ主成分を決定する。
【００３６】
具体的には、制御装置が、各ロットの中間変数ｘ１、ｘ２、ｘ３と相関係数行列の各係数とに基づいて、第１主成分ＰＣ１、第２主成分ＰＣ２・・の値、即ち、主成分得点を算出とする。図２は、第１主成分を横軸、第３主成分を縦軸とする座標系に主成分得点をプロットしたグラフである。
【００３７】
次に、制御装置は、図２に示す主成分得点にクラスター分析を適用して、各ロットを複数のグループに区分する（ステップＳ４）。「クラスター分析」とは、解析対象データ（クラスター）を類似性に着目して複数のグループに分類する方法であり、階層的クラスタリングや分類最適化クラスタリング等が知られている。本実施形態におけるクラスター分析が着目する「類似性」とは、各ロットの主成分得点同士の距離をいう。本実施形態では、階層的クラスタリングの一つである凝集型階層的クラスタリングを用いた。また、クラスター間の距離算出方法として、安定して解を得られるウォード法を用いた。「ウォード法」とは、２つのクラスターを併合した際の偏差平方和の増加量が最小になるクラスターを選択するものである。例えば、クラスターＡ、Ｂを併合してクラスターＣを生成する場合、クラスターＡ、Ｂ、Ｃ内の偏差平方和Ｓａ、Ｓｂ、Ｓｃは、それぞれ数式４〜６のように表される。
【数４】
2019091372.tif 000006
【数５】
2019091372.tif 000007
【数６】
2019091372.tif 000008
【００３８】
数式４〜６により、クラスターＣ内の偏差平方和Ｓｃは、以下のようになる。
【数７】
2019091372.tif 000009
【００３９】
数式７のΔＳａｂは、クラスターＡ、Ｂを併合してクラスターＣを生成した際の偏差平方和の増分であることを意味する。したがって、各併合段階でΔＳａｂが最小になるようにクラスターを選択して併合することにより、クラスタリングを進めていく。
【００４０】
本実施形態では、図２に示すように、第１〜第６の固有ベクトルまでの６次元空間で６つのグループ１〜６に区分した。なお、グループ１〜６は、図２中のクラスター１〜６にそれぞれ対応する。また、グループの数は、６つに限定されるものではなく、ハンドリングし易い数であれば５つ以下でも７つ以上であっても構わない。
【００４１】
次に、プロダクトデータに応じて、グループ毎の優劣を判定する（ステップＳ５）。このステップＳ５では、制御装置が、プロダクトデータ（外観検査不良率等）から得られる中間変数をロット毎に呼び出し、これらプロダクトデータの優劣を判定する。本実施形態では、外観検査不良率が優れているグループ５を最も優れたグループと判定した。
【００４２】
なお、プロダクトデータの優劣は、グループ毎に区分された複数のロット（ロット群）内の平均値に基づいて行うのが好ましい。これにより、グループ内のロット群のプロダクトデータのばらつきが平準化され、グループ間のプロダクトデータの良否の傾向を大局的に把握することができる。
【００４３】
また、プロダクトデータの優劣は、グループ内におけるプロダクトデータの偏差の大小や最大値及び最小値の差（範囲）の大小に基づいて判定しても構わないし、平均値、偏差又はＲ値等を２つ以上組み合わせて判定しても構わない。平均値と偏差とを組み合わせてプロダクトデータの優劣を判定するものとして、例えば、グループ内の平均値が同一の場合には、グループ内の偏差が小さいものを優と判断することが考えられる。これにより、グループ内でのプロダクトデータのばらつきを考慮したグループ間のプロダクトデータの優劣の傾向を大局的に把握することができる。
【００４４】
複数のプロダクトデータが存在する場合に、最も優先すべきプロダクトデータが予め設定されているときには、そのような最優先プロダクトデータに関するグループ内のロット群の平均値に応じて、グループ間の優劣を判定しても構わない。
【００４５】
複数のプロダクトデータ間で特に優先順位が存在しない場合には、各プロダクトデータについてグループ毎の平均値を比較し、好適なプロダクトデータの組み合わせを有するグループを優と判定しても構わない。
【００４６】
なお、プロダクトデータ間にトレードオフの関係が存在する場合には、必ずしも１つのプロダクトデータを優先してグループ毎の優劣を判定するのは好ましくなく、各プロダクトデータについてグループ毎の平均値を俯瞰的に比較し、好適なプロダクトデータの組み合わせを有するグループを優と判定するのが好ましい。
【００４７】
次に、制御装置が、グループ毎のプロセスデータの平均値を表示部に可視表示する（ステップＳ６）。以下、３つのプロセスデータ（ｐａｒａ１、ｐａｒａ２、ｐａｒａ３）を例にステップＳ６の具体的内容について説明する。
【００４８】
図３は、３つのプロセスデータｐａｒａ１〜３についてグループ毎の平均値を示す表であり、「ｒａｗ」の列が標準化前のデータであり、「ｓｃａｌｌｉｎｇ」の列が標準化後のデータに対応する。このステップＳ６では、制御装置が、図３に示すようなグループ毎にプロセスデータｐａｒａ１〜３の標準化後の平均値を算出し、その結果を表示部に可視表示する。
【００４９】
表示部に表示されるデータは、直感的に視認し易いグラフ形式が好ましい。選択されるグラフ形式は特に限定されないが、例えば、横軸を全ロットの平均値に設定したバーグラフであれば、各グループの傾向を大局的に把握することができる。
【００５０】
なお、グラフ表示されるプロセスデータは、標準化後の数値が好ましい。これにより、スケールが統一された状態で複数の状態量が可視表示されるため、プロセスデータ同士の比較が容易になり、特徴因子を直感的に認識することができる。
【００５１】
図４は、標準化後のプロセスデータ（ｐａｒａ１）について、横軸に全ロットの平均値を設定したグループ毎のプロセスデータの平均値を示すバーグラフである。図５は、標準化後のプロセスデータ（ｐａｒａ２）について、横軸に全ロットの平均値を設定したグループ毎のプロセスデータの平均値を示すバーグラフである。図６は、標準化後のプロセスデータ（ｐａｒａ３）について、横軸に全ロットの平均値を設定したグループ毎のプロセスデータの平均値を示すバーグラフである。図４〜６中の符号１〜６は、グループ１〜６を示す。
【００５２】
次に、優と判定されたグループの特徴を表す特徴因子を特定する（ステップＳ７）。このステップＳ７では、制御装置が、ステップＳ６で可視表示したバーグラフにおいて、グループ５と他のグループ１〜４、６とを比較して、グループ５が特徴的な傾向を示すプロセスデータを特定して、優と判定されたグループ５の特徴を表す特徴因子を特定する。
【００５３】
ここで、「特徴的な傾向」とは、グラフ上において優と判定されたグループが他のグループと比べて著しく長い（すなわち、全ロットの平均値からの乖離幅が大きい）場合、グラフ上において優と判定されたグループが他のグループと比べて著しく短い（すなわち、全ロットの平均値に略一致する）場合、又はグラフ上において優と判定されたグループが他のグループの少なくとも一つと比べて正負が反転している（すなわち、グラフ上において優と判定されたグループのバーが正負の一方に位置し、他のグループが正負の他方に位置している）場合等を意味する。
【００５４】
図４に示すグラフによれば、プロセスデータｐａｒａ１について、グループ５が全ロットの平均値より低く、且つ横軸からの乖離幅が著しく大きいことが分かる。また、グループ５の値が負であって全ロットのプロセスデータの平均値を下回っているのに対して、グループ１、２の値が正であって全ロットのプロセスデータの平均値を上回っている。
【００５５】
図５に示すグラフによれば、プロセスデータｐａｒａ２について、グループ５が全ロットの平均値より高く、且つ横軸からの乖離幅が著しく大きいことが分かる。また、グループ５の値が正であって全ロットのプロセスデータの平均値を上回っているのに対して、グループ２〜４、６の値が負であって全ロットのプロセスデータの平均値を下回っている。
【００５６】
図６に示すグラフによれば、プロセスデータｐａｒａ３について、グループ５は、横軸からの乖離幅は小さく、特に、グループ５、６はいずれも負の値であるが、グループ５は、グループ６よりも横軸からの乖離幅が著しく小さい。
【００５７】
このようにして、本実施形態では、図４、５に示すバーグラフ上の特徴的な傾向に基づき、グループ５の特徴因子とは、全ロットの平均値より低めに設定されたプロセスデータｐａｒａ１と、全ロットの平均値より高めに設定されたプロセスデータｐａｒａ２に特定される。一方、プロセスデータｐａｒａ３については、他のグループと比較して特徴的な傾向を示すとは言えないため、特徴因子から除外する。
【００５８】
なお、特徴因子をバーグラフの特徴的な傾向から特定する際に、図７に示すようにロット群のバラつきを考慮するのが好ましい。図７は、図３中のプロセスデータｐａｒａ２について、各ロットのプロセスデータのバラつきを示すグラフである。図７中の符号１〜６は、グループ１〜６を示す。図７によれば、グループ５に含まれるロット間のバラつきが相対的に小さいのに対して、例えばグループ１、６に含まれるロット間のバラつきが相対的に大きいことが分かる。このような事情と図５とを総合すると、グループ１、６の中央値は、図５中のバーグラフよりも負の方向に存在すると推測されるため、グループ５の特徴的な傾向が一層際立つことが分かる。
【００５９】
ステップＳ７で選定された特徴因子に基づいて、処理装置等の製造条件を設定する場合には、図２に示したグループ５のプロセスデータの平均値（ｐａｒａ１：２５、ｐａｒａ２：１５３４）を製造条件の初期値に設定し、このときのプロダクトデータの良否を確認しながら製造条件を微調整するのが好ましい。プロセスデータの平均値を初期値に設定することにより、過去の状態を逸脱することなく、すなわち製造設備等に過度な負荷をかけることなく、優と判定されたグループ５の状態を再現することができる。
【００６０】
なお、本発明は、本発明の精神を逸脱しない限り種々の改変をなすことができ、そして、本発明が該改変されたものにも及ぶことは当然である。
【００６１】
本発明における「生産プロセス」とは、製品（物）を製造するプロセス又はサービスを提供するプロセスを含むものである。すなわち、生産プロセスとは、物を製造するプロセスに限定されない。生産プロセスで提供されるサービスとは、例えば、パーツ洗浄や医薬品開発における治験結果の解析等のサービスが含まれる。
【図１】
2019091372.tif 000010
【図２】
2019091372.tif 000011
【図３】
2019091372.tif 000012
【図４】
2019091372.tif 000013
【図５】
2019091372.tif 000014
【図６】
2019091372.tif 000015
【図７】
2019091372.tif 000016